(57)【要約】【課題】一対の軒樋止まりを簡単に且つコンパクトに集積して梱包することができ、輸送中に衝撃で止まりセットに力がかかっても、破損しない軒樋止まりの梱包構造を提供することを目的とする。【解決手段】止水壁本体部１０の上端縁を除く端縁内側面に前高の外周リブ１１が形成された一対の軒樋止まりＡ、Ｂを止まりセット１Ｓとして段ボール箱２に集積して梱包する軒樋止まりの梱包構造であって、一方の軒樋止まりＡを上向きとし他方の軒樋止まりＢを下向きとなるよう一対の軒樋止まりの内側面１ａ、１ｂ同士を対向させ、前側リブ１１２に設けられた前耳把持部１２が後側リブ１１３の立上がり屈曲部１１３ａに当接するようにして互い違いに重ね合わせて止まりセット１Ｓを構成し、該止まりセット１Ｓを縦にして横方向に一つづつ並べて集積体１０Ｓを形成し、該集積体１０Ｓの下向きの軒樋止まり１Ｂの後耳把持部１３と上向き軒樋止まり１Ａの前側リブ１１２との間に形成される空隙部ｋに緩衝パット３を介装する。【選択図】      図１
2005001722.tif 000002
【特許請求の範囲】
【請求項１】
止水壁本体部の上端縁を除く端縁内側面に前高の外周リブが形成された一対の軒樋止まりを止まりセットとして段ボール箱に集積して梱包する軒樋止まりの梱包構造であって、一方の軒樋止まりを上向きとし他方の軒樋止まりを下向きとなるよう一対の軒樋止まりの内側面同士を対向させ、前側リブに設けられた前耳把持部が後側リブの立上がり屈曲部に当接するようにして互い違いに重ね合わせて止まりセットを構成し、該止まりセットを縦にして横方向に一つづつ並べて集積体を形成し、該集積体の下向きの軒樋止まりの後耳把持部と上向き軒樋止まりの前側リブとの間に形成される空隙部に緩衝パットを介装することを特徴とする軒樋止まりの梱包構造。
【請求項２】
集積体が２列並設され、集積体同士間に仕切り板が設けられていることを特徴とする請求項１記載の軒樋止まりの梱包構造。
【発明の詳細な説明】
【０００１】
【発明の属する技術分野】
本発明は、一対の軒樋止まりを止まりセットとして段ボール箱に集積して梱包する軒樋止まりの梱包構造に関する。
【０００２】
【従来の技術】
従来から一般に、軒樋の端部に嵌合固着され軒樋の端部を閉塞し、軒樋の端部から雨水が流出するのを防止するものが軒樋止まりとして用いられている。
通常、軒樋の一方の端部に軒樋止まりが嵌合固着されるときには、同じ軒樋の他方の端部にも軒樋止まりが固着されるので、施工の際には一対の軒樋止まりが必要となっている。
【０００３】
このような一対の軒樋止まりは段ボール箱に集積梱包されて工場から出荷されているが、この場合、一方の軒樋止まり（左勝手の止まり）を縦にして一つづつ横方向に並べて複数個一纏めにして集積体とし、また他方の軒樋止まり（右勝手の止まり）も同じく並べて複数個一纏めにして集積体とし、これら集積体同志間に断面形状がコ字状の段ボールでできた補強仕切を入れて、段ボール箱に詰めて梱包している（例えば、特許文献１を参照。）。
【０００４】
ところで、軒樋が前高で前後非対称形状である場合には、軒樋の両端部に嵌合固着される軒樋止まりも前後非対称形状となって、一対の軒樋止まりが相互に異なる形状となっており、一方の軒樋止まり（右勝手の止まり）の集積体と他方の軒樋止まり（左勝手の止まり）の集積体を同じ段ボール箱に詰めて梱包して出荷したとしても、施工現場等で一対の軒樋止まりを左右セットとして取り出すときの部材管理が煩瑣である。そのため従来から、一対の軒樋止まりを接続片を介して合成樹脂で一体に形成することにより止まりセットを形成し、この止まりセットを段ボール箱に梱包して出荷することが提案されている（例えば、特許文献２を参照。）。
【０００５】
【特許文献１】
特開平１０─２１１９６６号公報（図１及び図２）
【特許文献２】
特開２００１─１８２２３９号公報（図１及び図５）
【０００６】
【発明が解決しようとする課題】
しかしながら、特許文献１に記載されているような、軒樋止まりの梱包構造にあっては、また、右勝手または左勝手の軒樋止まりをそれぞれ複数個纏めて集積体として梱包しているので、施工のとき一対の軒樋止まりを段ボール箱から取り出す際にいちいち左右セットであるかどうかを確認する必要がありその作業が煩雑で、しかも、集積体を段ボール箱で梱包すると容積が大きくなるという問題があった。
【０００７】
また、特許文献２に記載されているような止まりセットは施工のとき左右セットであるのでそのまま間違わずに取り付けることができ部材管理が容易であるが、段ボール箱で梱包すると容積が大きくなるという問題があった。また、施工時に接続片を切断する必要があり、切断した跡を綺麗に仕上げるため手間がかかるうえに切除した接続片は廃棄物として排出されるという問題があった
【０００８】
本発明は、このような事情に鑑みて、一対の軒樋止まりを簡単に且つコンパクトに集積して梱包することができ、輸送中に衝撃で止まりセットに力がかかっても、破損しない軒樋止まりの梱包構造を提供することを目的としている。
【０００９】
【課題を解決するための手段】
このような目的を達成するために、請求項１記載の軒樋止まりの梱包構造は、止水壁本体部の上端縁を除く端縁内側面に前高の外周リブが形成された一対の軒樋止まりを止まりセットとして段ボール箱に集積して梱包する軒樋止まりの梱包構造であって、一方の軒樋止まりを上向きとし他方の軒樋止まりを下向きとなるよう一対の軒樋止まりの内側面同士を対向させ、前側リブに設けられた前耳把持部が後側リブの立上がり屈曲部に当接するようにして互い違いに重ね合わせて止まりセットを構成し、該止まりセットを縦にして横方向に一つづつ並べて集積体を形成し、該集積体の下向きの軒樋止まりの後耳把持部と上向き軒樋止まりの前側リブとの間に形成される空隙部に緩衝パットを介装することを特徴としている。
【００１０】
請求項２記載の軒樋止まりの梱包構造は、請求項１記載の軒樋止まりの梱包構造において、集積体が２列並設され、集積体同士間に仕切り板が設けられていることを特徴としている。
【００１１】
【発明の実施の形態】
以下に本発明の実施の形態について図面を参照しながら説明する。
【００１２】
図１は本発明の軒樋止まりの梱包構造の第１実施例を示す断面図、図２は図１における段ボール箱の上蓋を一部切り欠いて示した平面図、図３は図１における梱包構造の要部拡大断面図、図４は本発明の軒樋止まりの梱包構造において用いられる止まりセットにおける一方の軒樋止まりを示す斜め背方から見た斜視図、図５は止まりセットに使用される軒樋止まりを示す図であって、同図（ａ）  は同止まりセットの一方の軒樋止まりの背面図、同図（ｂ）  は同止まりセットにおける他方の軒樋止まりを示す背面図、図６は一対の軒樋止まりを重ね合わせて止まりセットを構成した状態を説明する正面図、図７は図６におけるＥ−Ｅ線矢視の断面図、図８は図６における止まりセットの平面図である。
【００１３】
図１〜図３に示すように、一対の軒樋止まり１Ａ、１Ｂを互い違いに重ね合わせて止まりセット１Ｓを構成し、この止まりセット１Ｓを縦にして横方向に一つづつ並べて集積体１０Ｓ、２０Ｓを２列形成し、この集積体１０Ｓ、２０Ｓが段ボール箱２内に詰め込まれており、該集積体１０Ｓ、２０Ｓの下向きの軒樋止まり１Ｂ、１Ａと段ボール箱２の底面２１との間で囲まれる空隙部ｋに緩衝パット３が介装されている。
【００１４】
一対の軒樋止まり１Ａ、１Ｂは、図４〜８にも示すように、前高の軒樋（図示しない）の両端部に嵌合固着されて軒樋の端部を閉塞し、同軒樋の端部から雨水が流出するのを防止するもので、軒樋と同様の樹脂で形成され、軒樋の断面形状と略同じ形状の止水壁本体部１０と、この止水壁本体部１０の上端縁を除く周縁から直交する方向に軒樋の外周面を嵌合する前高の外周リブ１１とから形成されている。
【００１５】
本実施例では、外周リブ１１は前高の軒樋の外周面に対接するように屈曲形成されており、平坦な底側リブ１１１の前後にそれぞれ前側リブ１１２と後側リブ１１３とが立設されており、前側リブ１１２は外方に傾斜して斜め上方に立設され後側リブ１１３より高く形成されている。前側リブ１１２の上端に軒樋の前耳に係合される前耳把持部１２が、後側リブ１１３の上端に軒樋の後耳に係合される後耳把持部１３がそれぞれ形成されている。
【００１６】
前耳把持部１２は、断面コ字状に形成されており、前側リブ１１２の上端から屋外側に水平に屈曲した下辺部１２１と、この下辺部１２１から上方に屈曲した縦辺部１２２と、この縦辺部１２２から屋内側に向け屈曲した上辺部１２３とから構成されている。
【００１７】
また本実施例では、前耳把持部１２の上辺部１２３の側縁から内側方向に係合片１４が突出して形成されており、止水壁本体部１０の内側面１ａ（１ｂ）中程には前記外周リブ１１と間隔を開けて膨出段部１５が一体に形成されており、この膨出段部１５と外周リブ１１との間隔が、軒樋の端部が挿入される挿入溝１６となっている。
【００１８】
そして、一対の軒樋止まり１Ａ、１Ｂの内側面１０ａ、１０ｂを対向させ互い違いに重ね合わせたときに、上記挿入溝１６には前耳把持部１２の上辺部１２３に設けられた係合片１４が挿入され係合するようになっている。
【００１９】
このような一対の軒樋止まり１Ａ、１Ｂは、成形工場おいて射出成形されたあと、図６〜図８に示すように、一対の軒樋止まり１Ａ、１Ｂの内側面１ａ、１ｂを対向させ互い違いに重ね合わせて、挿入溝１６に係合片１４を挿入して係合し止まりセット１Ｓが組み立てられる。
【００２０】
この場合、一方の軒樋止まり１Ａを上向きとし他方の軒樋止まり１Ｂを下向きとなるよう内側面１ａ、１ｂ同士を対向させ、一方の軒樋止まり１Ａの前側リブ１１２に設けられた前耳把持部１２が他方の軒樋止まり１Ｂの後側リブ１１３の立上がり屈曲部１１３ａに当接するようにして互い違いに重ね合わせて止まりセット１Ｓが構成される。この止まりセット１Ｓの大きさは、幅が１４５ｍｍ、高さが８６ｍｍで厚さが３０ｍｍである。
【００２１】
本実施例において用いられる段ボール箱２は、予め、底蓋２１が閉じられて集積体１０Ｓ、２０Ｓが並列に収納できるようになっており、その底蓋２１の合わせ目が粘着テープ等で封緘され、上蓋２２が開放された状態とされている。
この組み立てられた段ボール箱２の容積は、長さ（Ｌ）×幅（Ｗ）×高さ（Ｈ）が４６０ｍｍ×２９５ｍｍ×８８ｍｍとなるものを用いた。
【００２２】
緩衝パット３は、上記段ボール箱２内の底蓋２１の合わせ目に沿って設置されるもので、複両面段ボールから形成されており、その大きさは、長さ×幅×厚さが、４５５ｍｍ×８０ｍｍ×１６ｍｍの板状のものである。そして、本実施例では、この緩衝パット３の上面に両面段ボールからなる仕切り板４を立設して、左右に集積体１０Ｓ、２０Ｓをそれぞれ収納できるように区画室を形成している。仕切り板４の大きさは、長さ×厚さ×幅が４５５ｍｍ×５ｍｍ×７０ｍｍの板状のものを用いた。
【００２３】
前記止まりセット１Ｓを段ボール箱２に梱包するには、緩衝パット３の上面に立設された仕切り板４により仕切られた左区画室内に、止まりセット１Ｓを縦にして横方向に一つづつ１５セット並べて集積体１０Ｓを形成する。次に、段ボール箱２の仕切り板４の右区画室内に、止まりセット１Ｓを上下逆転させ縦にして横方向に一つづつ１５セット並べて集積体２０Ｓを形成する。このようにして、段ボール箱２内には止まりセット１Ｓが３０セット収納される。最後に、段ボール箱２の上蓋２２を閉じてから粘着テープ５により上蓋２２の合わせ目を封緘して梱包する。
【００２４】
このようにして一対の軒樋止まりＡ、Ｂが止まりセット１Ｓの集積体１０Ｓ、２０Ｓとして段ボール箱２内に詰め込まれると、集積体１０Ｓ、２０Ｓは互いに対向した状態で仕切り板４により仕切られ、しかも、集積体１０Ｓの下向きの軒樋止まりの１Ｂと集積体２０Ｓの下向きの軒樋止まりの１Ａのそれぞれの後耳把持部１３、１３と上向き軒樋止まり１Ａ、１Ｂの前側リブ１１２、１１２との間に形成される空隙部ｋに緩衝パット３が介装されているため、緩衝パット３で止まりセット１Ｓを支えて保護することになり、屈曲部１１３ａに当接して挿入溝１６に係合片１４が挿入している前耳把持部１２に衝撃が加わっても破損することがない。
【００２５】
また、施工の際には、ダンボール箱２から止まりセット１Ｓを取り出し、互い違いに重なり合っている軒樋止まり１Ａ、１Ｂの挿入溝１６から係合片１４を外して軒樋止まり１Ａ、１Ｂを分離し、それぞれの軒樋止まり１Ａ、１Ｂを軒樋の端部に嵌合固着すればよい。
【００２６】
図９は本発明の軒樋止まりの梱包構造の第２実施例を示す断面図である。
この第２実施例の軒樋止まりの梱包構造の場合、図９に示すにように、段ボール箱２の中央部に仕切り板４０を立設するとともに、左区画室の段ボール箱２の左側壁２３の下隅部と右区画室の仕切り板４０の取付け基部にそれぞれ発泡スチロールの緩衝バット３０を設け、左区画室の止まりセット１Ｓを上下逆転させて縦にして横方向に一つづつ１５セット並べて集積体２０Ｓを形成したこと以外は、基本的に上記図１の軒樋止まりの梱包構造と同じである。図１の第１実施例と同一部分については、同一符号を付して説明を省略する。
【００２７】
この第２実施例の軒樋止まりの梱包構造の場合、止まりセットの集積体２０Ｓ、２０Ｓは仕切り板４０により仕切られる。しかも、それぞれの集積体２０Ｓは左右の区画室内で、各空隙部ｋに緩衝パット３０が介装されているため、止まりセット１Ｓが緩衝パット３０で保護され、屈曲部１１３ａに当接して挿入溝１６に係合片１４が挿入している前耳把持部１２に衝撃が加わっても前耳把持部１２近傍の破損は発生することがない。
【００２８】
図１０は軒樋止まりの梱包構造の比較例を示す断面図である。
この比較例の軒樋止まりの梱包構造の場合、図１０に示すにように、緩衝パット３０を設けていないこと以外は、図９の第２実施例と同じ軒樋止まりの梱包構造である。
【００２９】
この比較例の軒樋止まりの梱包構造では、緩衝パット３０がないため、落下により前耳把持部１２に衝撃が加わると、下向きの軒樋止まり１Ａの後耳把持部１２が下側に落ち込み、前耳把持部１２付近が破損する。特に、集積体２０Ｓの真ん中付近に並べられている２〜３セットの止まりセット１Ｓが破損し易い。
【００３０】
以上、本発明実施の形態を図面に基づいて説明してきたが、具体的な構成はこの実施例のものに限られるものではなく本発明の要旨を逸脱しない範囲の設計変更等があっても本発明に含まれる。
【００３１】
【発明の効果】
以上説明したように、本発明の請求項１記載の軒樋止まりの梱包構造は、止水壁本体部の上端縁を除く端縁内側面に前高の外周リブが形成された一対の軒樋止まりを止まりセットとして段ボール箱に集積して梱包する軒樋止まりの梱包構造であって、一方の軒樋止まりを上向きとし他方の軒樋止まりを下向きとなるよう一対の軒樋止まりの内側面同士を対向させ、前側リブに設けられた前耳把持部が後側リブの立上がり屈曲部に当接するようにして互い違いに重ね合わせて止まりセットを構成し、該止まりセットを縦にして横方向に一つづつ並べて集積体を形成し、該集積体の下向きの軒樋止まりの後耳把持部と上向き軒樋止まりの前側リブとの間に形成される空隙部に緩衝パットを介装しているので、一対の軒樋止まりを簡単に且つコンパクトに集積して梱包することができ、輸送中に衝撃で止まりセットに力がかかっても、破損することがない。
【００３２】
請求項２記載の軒樋止まりの梱包構造では、集積体が２列並設され、集積体同士間に仕切り板が設けられているので、一対の軒樋止まりをがたつくことなく簡単に且つコンパクトに集積して梱包することができ、輸送中に衝撃で止まりセットに力がかかっても、破損することがない。しかも、梱包、保管、輸送の効率が向上する。
【図面の簡単な説明】
【図１】本発明の軒樋止まりの梱包構造の第１実施例を示す断面図である。
【図２】図１における段ボール箱の上蓋を一部切り欠いて示した平面図である。
【図３】図１における梱包構造の要部拡大断面図である。
【図４】本発明の軒樋止まりの梱包構造において用いられる止まりセットにおける一方の軒樋止まりを示す斜め背方から見た斜視図である。
【図５】同じく止まりセットに使用される軒樋止まりを示す図であって、同図（ａ）  は同止まりセットの一方の軒樋止まりの背面図、同図（ｂ）  は同止まりセットにおける他方の軒樋止まりを示す背面図である。
【図６】一対の軒樋止まりを重ね合わせて止まりセットを構成した状態を説明する正面図である。
【図７】図６におけるＥ−Ｅ線矢視の断面図である。
【図８】図６における止まりセットの平面図である。
【図９】本発明の軒樋止まりの梱包構造の第２実施例を説明する断面図である。
【図１０】本発明の比較例を説明する断面図である。
【符号の説明】
１Ａ、１Ｂ      軒樋止まり
１ａ、１ｂ    内側面
１０          止水壁本体部
１１          外周リブ
１２、１３    耳把持部
１４          係合片
１５          膨出段部
１６          挿入溝
【図１】
2005001722.tif 000003
【図２】
2005001722.tif 000004
【図３】
2005001722.tif 000005
【図４】
2005001722.tif 000006
【図５】
2005001722.tif 000007
【図６】
2005001722.tif 000008
【図７】
2005001722.tif 000009
【図８】
2005001722.tif 000010
【図９】
2005001722.tif 000011
【図１０】
2005001722.tif 000012